(57)【要約】【課題】  機能性及びシール性に優れ、外部からの衝撃に対しても強度を有し、概観上も好ましい形態のソーラーライトを提供する。【解決手段】  透明部材で形成された筒状体２の内部に保持体１５が収納され、保持体１５の上面１５ａにはソーラーモジュール１１が取り付けられ、空間部にはソーラーモジュール１１により発電した電力を蓄電する充電装置１３及び同充電装置１３に蓄電した電力を発光素子１２に供給制御する制御装置１４が内臓され、下面１５ｃには絶縁材１６を介して配設した回路基板２６に複数の発光素子が取り付けられている。また、筒状体２の外周面の半透明領域２３には、乳反シート２０が貼着されて巻かれている。【選択図】  図３
2006059603.tif 000002
【特許請求の範囲】
【請求項１】
発光ユニットが、ソーラーモジュール、発光素子、前記ソーラーモジュールから供給される電力を充電する充電装置、前記充電装置から前記発光素子に供給する電力を制御する制御装置、及びこれら各部材を保持する保持体を備え、
前記保持体がその上下面間に空間部を有する長尺体から構成され、同保持体の上面に少なくとも１個以上の前記ソーラーモジュールが配設され、前記保持体の下面に少なくとも１個以上の前記発光素子が配設され、前記空間部に前記充電装置及び制御装置が内蔵され、
前記発光ユニットが半透明領域と少なくとも１ヵ所以上の透明領域とを有する筒状体内に収納され、同筒状体の両端部を密閉する一対の密閉部材を介して前記保持体の両端部がそれぞれ支持固定されてなることを特徴とするソーラーライト。
【請求項２】
前記筒状体が、合成樹脂により構成され、前記透明領域に対向してソーラーモジュールが配設されてなることを特徴とする請求項１記載のソーラーライト。
【請求項３】
前記筒状体が、透明なポリカーボネイトにより構成され、前記筒状体の外周面に乳反シートが貼着され、前記筒状体の外周面における同筒状体の長手方向に沿った少なくとも一ヵ所以上の領域が前記乳反シートの非貼着領域とされてなることを特徴とする請求項２記載のソーラーライト。
【請求項４】
前記発光素子がＬＥＤであり、同発光素子の光源位置が前記筒状体の中空断面形状における中心位置近傍に配されてなることを特徴とする請求項１〜３のいずれかに記載のソーラーライト。
【請求項５】
前記発光素子による照射方向の所望角度領域内に前記透明領域が形成されてなることを特徴とする請求項１〜４のいずれかに記載のソーラーライト。
【請求項６】
前記一対の密閉部材における少なくとも一方の密閉部材が、前記ソーラーライトの支持部材に対する支持固定部として構成されてなることを特徴とする請求項１〜５のいずれかに記載のソーラーライト。
【発明の詳細な説明】
【技術分野】
【０００１】
本発明は、昼間に太陽光発電等により充電した電力を用いて、夜間などにおいて屋外等で点灯することのできるソーラーライトに関するものである。
【背景技術】
【０００２】
従来から建物の玄関やバルコニー、階段、敷地、門等にソーラーライトを設置しておき、昼間蓄えておいたソーラーモジュールの発電電力を使用して、夜間等において自動的に点灯させて夜間等における安全性を確保することが行われている。また、道路や工事現場等においてソーラーライトを設置しておき、歩行者等に注意を促すことも行われている。
【０００３】
ソーラーライトは屋外に設置することが多いため、風雨に曝されても十分に耐え得る構造を備えていることが求められている。ソーラーライトの光源とソーラーモジュール、充電装置等を収納する透光性のケースは、一般に上下方向に２分割することのできる構成を有しており、両者の接合部分にはゴムパッキングを介在させたりシール剤等を注入したりして、接合部から雨風等が侵入するのを防止していた。
【０００４】
しかし、上下方向に２分割するケース内にソーラーライトの光源等を収納した構成では、上下方向の接合部における密閉性が十分に確保することができなかった。そのため、接合部からケース内に雨風等が侵入し、ソーラーモジュール等の電源や制御装置、光源などの電気性能に悪影響を与えてしまうことが発生し、ソーラーライトとしての耐久性、耐用性が低下してしまう恐れがあった。
【０００５】
これを解決するため、ソーラーモジュール、下端側が開口した有底形状の円筒カバーによりＬＥＤ等の発光ユニットを上方から全体的に覆い、円筒カバーの開口した下端側には台座を取り付けることで、台座を介してソーラーライトの設置場所に自由に設置することができるようにしたソーラーライト（例えば、特許文献１参照。）が提案されている。
【０００６】
しかし、特許文献１に記載されたものでは、円筒カバー内に配設することのできるＬＥＤは、円筒断面内において面状に配設する構成となっていたため、線状光源のように長手方向にわたって照射することのできるソーラーライトを構成することはできなかった。また、特許文献１に記載されたソーラーライトでは、上方にソーラーモジュールを配設し、下方に台座を配設した構成となっているため、ＬＥＤが照射することのできる範囲は、円筒カバーの周面に限られていた。
【０００７】
ソーラーライトを長尺状の構成に形成したものとしては、２本の車止め用の脚部間に掛け渡した長尺状の連結部材にソーラーライトを配設し、ＬＥＤを連結部材の長手方向に沿って所定間隔に配設した車止め（例えば、特許文献２参照。）が提案されている。
【０００８】
特許文献２に記載された車止めでは、図８にその正面図を示すように、一対の脚部４１と同一対の脚部４１間の上部を連結する渡り部４２とによって車止め本体４３が形成されている。一対の脚部４１間には連結部材４４がボルト４５により固定されている。連結部材４４の上面にはソーラーモジュール４７が配設され、側面には図示せぬ発光素子を有する発光部５２が配設されている。また、連結部材４４の内部には前記ソーラーモジュール４７から供給される電力を充電する図示せぬ蓄電池と同蓄電池から前記発光素子に供給する電力を制御する図示せぬコントローラがそれぞれ設けている。
【０００９】
連結部材４４は、ステンレス製の断面が４角形の角パイプにより構成されており、連結部材４４の上面には凹部４６を有する装着部４９が形成さている。前記凹部４６には、ソーラーモジュール４７とソーラーモジュール４７の表面を覆う透明なアクリル板からなる透明板４８が収納可能に配設されている。透明板４８と装着部４９との接合面には、シリコン樹脂などのシール性に優れたシール材が充填され、雨水が透明板４８の下面やソーラーモジュール４７を濡らしたり、連結部材４４の中に入り込んだりするのを防止している。
【００１０】
連結部材４４の両側面には、それぞれ３個の取付け孔５０が形成されている。各取付け孔５０には、発光部５２が装着されており、同発光部５２は、透明なアクリル樹脂からなる図示せぬ透明ケースによって外側が覆われ、内側は図示せぬステンレス製の保護パイプが配設されている。図示せぬ発光素子は、保護パイプ中に収納され、透明ケースから外部に光を照射することができるように配設されている。
【特許文献１】特開２００４−４７１１９号公報
【特許文献２】特開２００２−３２２６２１号公報
【発明の開示】
【発明が解決しようとする課題】
【００１１】
特許文献１に記載されたソーラーライトでは、円筒カバー内に配設することのできるＬＥＤは円筒カバーの横断面上において配設する構成となっている。このため、円筒カバーの周面をＬＥＤにより面発光させることはできるが、発光することができる範囲は円筒カバーの周面に限られていた。即ち、特許文献１に記載されたソーラーライトでは、円筒カバーの下面側を照射することや、線状光源のように長手方向にわたって照射することのできるソーラーライトを構成することはできなかった。
【００１２】
また、円筒カバーは透明なプラスチック等から形成されているため、円筒カバー内に収納した、ＬＥＤ、蓄電池、制御装置等が透けて見えてしまい、外観上好ましい形態とはなっていなかった。更に、円筒カバーの強度について、特に考慮されていなかったため、外部から円筒カバーに対して衝撃等が加わったときには、円筒カバーが破損してしまう危険性があった。
【００１３】
特許文献２に記載された車止めでは、連結部材４４の側面に形成した発光部５２を多数形成することで線状光源のように連結部材４４の長手方向に照射することは可能である。しかし、発光部５２を形成するために多数の取付け孔５０を連結部材４４の側面に形成しなければならず、しかも、形成した各取付け孔５０に対して透明ケースと保護パイプとをそれぞれ配設しなければならなかった。このため、連結部材４４の製造が複雑なものとなっていた。また、連結部材４４がステンレス材により構成されているため、発光部５２毎に連結部材との間には絶縁部材を介在させて、発光部５２と連結部材４４との間での絶縁性を確保しなければならなかった。
【００１４】
本願発明では、従来の問題点を解決するとともに、機能性及びシール性に優れ、外部からの衝撃に対しても強度を有し、概観上も好ましい形態のソーラーライトを提供することにある。
【課題を解決するための手段】
【００１５】
本願発明の課題は請求項１〜６に記載された各発明により達成することができる。
即ち、本願発明のソーラーライトでは請求項１に記載したように、発光ユニットが、ソーラーモジュール、発光素子、前記ソーラーモジュールから供給される電力を充電する充電装置、前記充電装置から前記発光素子に供給する電力を制御する制御装置、及びこれら各部材を保持する保持体を備え、前記保持体がその上下面間に空間部を有する長尺体から構成され、同保持体の上面に少なくとも１個以上の前記ソーラーモジュールが配設され、前記保持体の下面に少なくとも１個以上の前記発光素子が配設され、前記空間部に前記充電装置及び制御装置が内蔵され、前記発光ユニットが半透明領域と少なくとも１ヵ所以上の透明領域とを有する筒状体内に収納され、同筒状体の両端部を密閉する一対の密閉部材を介して前記保持体の両端部がそれぞれ支持固定されてなることを最も主要な特徴となしている。
【００１６】
また、本願発明では請求項２に記載したように、前記筒状体が、合成樹脂により構成され、前記透明領域に対向してソーラーモジュールが配設されてなることを主要な特徴となしている。
更に、本願発明では請求項３に記載したように、前記筒状体が、透明なポリカーボネイトにより構成され、前記筒状体の外周面に乳反シートが貼着され、前記筒状体の外周面における同筒状体の長手方向に沿った少なくとも一ヵ所以上の領域が前記乳反シートの非貼着領域とされてなることを主要な特徴となしている。
【００１７】
更にまた、本願発明では請求項４に記載したように、前記発光素子がＬＥＤであり、同発光素子の光源位置が前記筒状体の中空断面形状における中心位置近傍に配されてなることを主要な特徴となしている。
また、本願発明では請求項５に記載したように、前記発光素子による照射方向の所望角度領域内に前記透明領域が形成されてなることを主要な特徴となしている。
【００１８】
更に、本願発明では請求項６に記載したように、前記一対の密閉部材における少なくとも一方の密閉部材が、前記ソーラーライトの支持部材に対する支持固定部として構成されてなることを主要な特徴となしている。
【発明の効果】
【００１９】
本願発明では、ソーラーモジュール、発光素子、前記ソーラーモジュールから供給される電力を充電する充電装置、前記充電装置から前記発光素子に供給する電力を制御する制御装置、及びこれら各部材を保持する保持体を一つの発光ユニットとして構成している。しかも、同発光ユニットを半透明領域と少なくとも１ヵ所以上の透明領域とを有する筒状体内に収納し、同筒状体の両端部を密閉する一対の密閉部材を介して前記保持体の両端部を支持固定している。
【００２０】
また、前記保持体としてはその上下面間に空間部を有する長尺体形状に構成している。同保持体の上面には少なくとも１個以上の前記ソーラーモジュールを配設し、前記保持体の下面には少なくとも１個以上の前記発光素子を配設し、前記空間部内には前記充電装置及び制御装置を内蔵している。これらの構成要件により、ソーラーライトを構成していることを本願発明の特徴となしている。
【００２１】
これにより、本願発明のソーラーライトとしては、筒状体、発光ユニット、及び密閉部材の各部材から構成され、筒状体内に挿入した発光ユニットの保持部材を、その両端において密閉部材を介して支持固定することにより、筒状体、発光ユニット及び密閉部材を一体のものとして組み立てることができる。このとき、透明領域に対向した部位にソーラーモジュールを配設しておくことで、ソーラーモジュールに対する照光量を多くすることができる。
【００２２】
密閉部材を介して保持部材の両端を支持固定した構成となっているので、保持部材と密閉部材との取付け強度に応じて、密閉部材と筒状体との間における密閉性を高めることができる。このため、ソーラーライトを屋外で使用した場合でも、雨風等が筒状体内に侵入するのを確実に防止することができる。
【００２３】
また、保持部材を介在させた密閉部材により、筒状体はその両端部側から挟持された構成となっており、板状のカバーや下端側が開口した有底形状の円筒カバーなどに比してソーラーライトとしての強度を十分に保持することができる。
【００２４】
請求項２に記載したように、筒状体としては合成樹脂製の筒状体を使用することができる。特に、請求項３に記載したように、ポリカーボネイトを使用したときには、ポリカーボネイト材の有する強度とあわせて、外部から加えられる衝撃に対しても十分に耐え得る強度を備えることができる。
【００２５】
筒状体の形状としては、円筒形状、断面形状が多角形の形状、太鼓型形状、提灯型形状、断面形状がハート形や花びら形等の各種断面形状などに形成することができ、筒状体の両端部が開口した形状であれば適宜の断面形状を採用することができる。
【００２６】
密閉部材と保持体の両端部との間は、ネジ、タップネジ、ボルト・ナット等の固着手段により支持固定することができる。また、密閉部材と筒状体との間には、防水ゴム等のシール部材を介在させておくことができる。
【００２７】
密閉部材を介して保持体を支持固定した状態において、密閉部材と筒状体との間にシリコン等のシール材を充填して密閉することも可能ではある。しかし、密閉部材と筒状体との間におけるシール部材のシール性を高めるためには、密閉部材を介して保持部材を支持固定したときに、密閉部材と筒状体との間に介在させたシール部材を弾性変形させることで密閉性を高めるように構成することが望ましい。
【００２８】
ソーラーモジュールの設置数は、ソーラーライトとしての輝度、充電装置での充電量、筒状体の長手方向の長さ、発光ユニットに配設する発光素子数、発光素子の発光時間等に応じて適宜の数設置することができる。同様に、発光素子の配設数に関しても、ソーラーライトとしての輝度、充電装置での充電量、筒状体の長手方向の長さ、発光素子の発光時間等に応じて適宜の数設置することができる。
【００２９】
発光素子としては、保持部材の長手方向において直線状に配設することも、千鳥状に配設することも、また、配置間隔としては等間隔に配置することも、不等間隔に配置することも、ソーラーライトとしての使用形態に応じて適宜の配置構成を採用することができる。
【００３０】
充電装置としては、ソーラーモジュールで発電した電力を充電することができる充電装置であれば、電気二重層コンデンサやアルミ電解コンデンサ、ニッカドカドミウム蓄電池、または鉛シール蓄電池等の各種充電装置を使用することができる。充電装置としての重量、大きさ、充放電回数、単位容積当たりの容量等を勘案して筒状体内に装填する充電装置を選択することが望ましい。
【００３１】
ソーラーライトにおける制御装置としては、ソーラーモジュールからの発電量が所定の電力以下になったことをセンサー等により検出したとき、即ち、周囲の明るさが暗くなってソーラーモジュールが所定の電力以下でしか発電できなくなったとき、今までに蓄えておいた前記充電装置の電力を発光素子に対して供給する制御を行うことができる。即ち、電力を供給している間だけ発光素子の発光を行わせることができる。
【００３２】
また、発光素子に供給する電力量や、電力を供給する発光素子数を制御することで、ソーラーライトの照度を制御することもできる。更に、制御装置においては、ソーラーモジュールからの発電量が所定の電力以上となったことをセンサー等により検出したときには、充電装置から発光素子への電力供給を中止する制御を行わせることができる。
【００３３】
制御装置にタイマーを配設しておき、タイマーで検出した時刻に応じて、発光素子の点灯、点滅を制御したり、前記時刻に応じて点灯させる発光素子数を制御したりすることもできる。あるいは、ソーラーモジュールからの発電量が所定の電力以下になってから所定時間だけ発光素子を点灯させる制御を行わせることもできる。
【００３４】
このように、制御装置としては、発光素子に対して充電装置から供給する電力を各種条件に基づいて制御することができる。制御装置としては、供給するソーラーライトの使用形態に応じて、適宜の制御形態を採用することができるものであり、外部操作により前記制御形態を調整することも、予めソーラーライト毎に前記制御形態をセットしておくこともできる。
【００３５】
筒状体における透明領域としては、筒状体の長手方向に沿った外周面に少なくとも１ヵ所以上形成しておくことができる。少なくとも１ヵ所の透明領域に対向した部位にはソーラーモジュールを配設し、透明領域を通過した光によりソーラーモジュールを発電させるようにしておくことができる。
【００３６】
筒状体における半透明領域の形成としては、請求項３に記載したように乳反シールと筒状体の外周面上に貼着して形成することにより形成することができる。また、半透明とする塗料等を筒状体の内周面又は外周面に塗布することにより形成することもできる。更には、筒状体の内周面又は外周面に梨地模様を形成することにより半透明を形成することも、内周面又は外周面に薬品等により曇りガラスの形成と同様の手段により半透明部を形成することもできる。
【００３７】
筒状体の外周面側を半透明領域として形成することにより、発光素子から照射された光が、筒状体の内周面と外周面との間で屈折して筒状体の周方向に対して回り込むことができるので、半透明領域を筒状体の外周面に形成することが望ましい構成となる。特に、乳反シートを筒状体の外周面に貼着したときには、発光素子から照射された光が筒状体の周方向に回り込み、半透明領域を全体的に発光させることができるようになり、ソーラーライトとしては更に望ましい構成となる。
【００３８】
発光素子としては、請求項４に記載したようにＬＥＤを使用することができる。ＬＥＤ以外の発光素子を使用することもできるが、ＬＥＤの耐久時間が１０万時間以上となっているので、長期にわたって電球を交換せずにソーラーライトとして使用するためには、ＬＥＤを使用することが望ましい。
【００３９】
また、発光素子における光源位置は、筒状体の中空断面形状における中心位置近傍に配設することにより、筒状体内周面と発光素子の光源との距離が略等しくなり、筒状体の半透明領域を略均一の状態にて光らせることができる。筒状体の外周面に貼着するシート又は塗料として着色したものを使用して、ソーラーライトの発光色をカラー化しておくこともできる。また、発光素子として赤、青、黄色等のカラー発光素子を単一で使用又は複数組み合わせて使用し、ソーラーライトの発光色をカラー化することもできる。
【００４０】
請求項５に記載したように、発光素子の照射方向における所望角度領域内に筒状体の透明領域が配設されるように構成することもできる。これにより、発光素子に対向した透明領域を通って発光素子の光がスポット光のようにして使用することができ、同透明領域を通過した光により形成される領域を他の領域に比べてより明るくすることができる。発光素子に対向した透明領域としては、スリット的に形成することも、複数の領域に点在させて形成しておくこともできる。
【００４１】
請求項６に記載したように、筒状体の両端部を密閉する一対の密閉部材のうち少なくとも一方の密閉部材に支持固定部を構成しておくことで、同支持固定部を介してソーラーライトを支持部材に支持固定させることができる。この場合、ソーラーライトを支持部材に対して片持ち状態で支持固定することも、両端支持の状態で支持固定することもできる。
【００４２】
支持固定部の構成としては、ネジ留め等の適宜の固着手段を構成しておくことで支持部材に対してソーラーライトを固定することができる。また、支持固定部として、紐等の取付け部を構成し、密閉部材の支持固定部に取り付けた紐を支持部材の引っ掛け部材等にぶら下げることで、ソーラーライトを支持部材に対して取り付けることもできる。
【００４３】
支持部材としては、外壁、塀、ドア枠、ベランダ、テラス、外階段等において照明が必要な場所にソーラーライトを設置することのできる構成であれば適宜の構成を採用することができる。また、ソーラーライトを側道や植え込み、庭等におけるフットライトとして配設するため、支柱状の形状として構成しておくこともできる。更には、工事現場、進入禁止の場所、交通規制等の場所において運搬自在に載置しておくことのできる構成物として形成しておくこともできる。その他、適宜の構成を支持部材の構成として採用することができるものである。
【発明を実施するための最良の形態】
【００４４】
本発明の好適な実施の形態について、添付図面に基づいて以下において具体的に説明する。本願発明のソーラーライトの構成としては、以下で説明する形状、配置構成以外にも本願発明の課題を解決することができる形状、配置構成であれば、それらの形状、配置構成を採用することができるものである。このため、本発明は、以下に説明する実施例に限定されるものではなく、多様な変更が可能である。
【実施例】
【００４５】
図１は、本発明の実施形態に係わるソーラーライトの縦断面図を示している。図２は、図１におけるＩＩ−ＩＩ断面図である。図３は、図１のＩＩＩ−ＩＩＩ断面図である。図４は、図１の左から見た側面図であり、図５は、密閉部材のネジ孔をシールするプレートの正面図である。
【００４６】
図６は、本発明の実施形態に係わるソーラーライトを表札付き門灯として配設した例を示す正面図であり、図７は、図６におけるＶＩＩ−ＶＩＩ断面図である。図１に示すように、ソーラーライト１は、筒状体２、発光ユニット１０、一対の密閉部材３を組み立てることにより構成されている。発光ユニット１０の構成部材の一つである保持体１５の両端部を一対の密閉部材３により支持固定することにより、筒状体２内に発光ユニット１０を非接触状態に収納してソーラーライト１を組み立てることができる。
【００４７】
密閉部材３と筒状体２の端部との間には全周にわたって防水ゴム等のシール部材４が介在している。図１に示す一対の密閉部材３ｂに形成したネジ孔２８に図４に示すようにタップネジ１８を挿入し、図３に示す保持体１５の両端部に形成したネジ孔１９と前記タップネジ１８とを螺合させることにより、保持体１５を一対の密閉部材３に支持固定することができる。
【００４８】
このとき、筒状体２と密閉部材３との間に介在しているシール部材４が、保持体１５と密閉部材３との間での締め付け力により押圧されて弾性変形し、筒状体２と密閉部材３との間におけるシール性を高めることができる。
【００４９】
筒状体２としては、透明なポリカーボネイトから構成することができ、外部から加わる衝撃に対して破損することなく安定した強度を維持することができ、ソーラーライト１が破損するのを防止することができる。筒状体２としては、合成樹脂製の筒状体として構成することもできる。また筒状体２の中空断面形状は、多様な形状とすることができるが、筒状体の強度の面から円筒状に形成しておくことが望ましい。
【００５０】
保持体１５は図３に示すように、断面形状が矩形のアルミ製の長尺体から形成されている。保持体１５を構成する材質としてはアルミ製に限定されるものではなく、他の金属材、合成樹脂材により形成することができるものであるが、保持体１５としての強度、軽量化の観点からアルミ製で形成することが望ましい形態となる。保持体１５の断面形状としては、矩形断面形状に限定されるものではなく、Ｈ型断面形状、コ字状の断面形状などのように上下面間に空間部を備えた断面形状とすることができる。
【００５１】
保持体１５の上面１５ａには、図１、図２に示すように２組のソーラーモジュール１１が配設されている。下面１５ｃには絶縁材１６を介して回路基板２６が取り付けられ、同回路基板２６には所定間隔で発光素子１２であるＬＥＤが保持体１５の長手方向に沿って複数個取り付けられている。
【００５２】
保持体１５の空間部１５ｂには、ソーラーモジュール１１で発電した電力を蓄電する充電装置１３、及び充電装置１３に蓄電した電力を発光素子１２に供給制御する制御装置１４が回路基板２５上に配設されて、それぞれ収納されている。これらの各部材は、一部図示を省略した配線により接続され、制御装置１４からの制御指令により、発光素子１２の点灯、消灯制御を行うことができる。
【００５３】
充電装置１３としては、一対のニッケル・カドミウム蓄電池を用いた例を示しているが、ニッケル・カドミウム蓄電池以外にも、電気二重層コンデンサ、アルミニウム電解コンデンサ、鉛シール電池等の充電装置を使用することができるものである。例えば、電気二重層コンデンサを用いた場合には、充電装置としての形状を薄く形成することができ、充放電回数を１０万回以上行うことができるなど、各蓄電池の機能を勘案してソーラーライトの用途に対応した充電装置を使用することができる。
【００５４】
図２、図３に示すように、ソーラーモジュール１１は保持体１５の上面１５ａに取り付けられている。ソーラーモジュール１１の取り付け個数は、保持体１５及び筒状体２の長さとソーラーライトとして必要な発電量に対応して取り付けることができる。
【００５５】
保持体１５の空間部には、ソーラーモジュール１１により発電した電力を蓄電する充電装置１３及び同充電装置１３に蓄電した電力を発光素子１２に供給制御する制御装置１４が内臓されている。制御装置１４は、回路基板２５上に載置され、ソーラーモジュール１１の発電量が所定の電力以下となったときに充電装置１３に充電された電力を用いて発光素子１２の点灯を制御することができる。また、ソーラーモジュール１１の発電量が所望の電力以上となったときには、発光素子１２の点灯を消灯させる制御を行うことができる。
【００５６】
制御装置１４による発光素子１２の点灯・消灯制御は、制御装置１４に設けたタイマーからの時刻により、点灯・消灯制御を行わせることもできる。例えば、ソーラーモジュール１１の発電量が所定の電力以下となった時刻から所定の時間だけ発光素子１２を点灯制御させておくことも、予め設定しておいた時刻になると自動的に発光素子１２を点灯させる制御を行わせることもできる。また、制御装置１４には、発光素子１２の点灯時間や発光させる発光素子の数の制御を行わせることなど、ソーラーライトの使用形態にとって便利な制御を行わせることができる。
【００５７】
保持体１５の下面１５ｃには、絶縁材１６を介して回路基板２６が配設され、同回路基板２６に形成した複数の端子挿入孔に発光素子１２の端子を挿入することで、複数の発光素子１２を任意の数、しかも所望のピッチ間隔で回路基板２６上にセットすることができる。回路基板２６に形成した端子挿入孔を千鳥状、並列状、複数種のピッチ間隔等として形成しておくことで、回路基板２６の取り付ける発光素子１２の配列を自由に調整することができる。
【００５８】
図１では、回路基板２６の長さが、保持体１５の長さよりも短い回路基板を用いた例を示しているが、回路基板２６の長さを保持体１５の長さと略等しい長さとすることもできる。
【００５９】
ソーラーモジュール１１、充電装置１３、制御装置１４及び回路基板２６との間は、一部図示を省略した配線により接続されている。制御装置１４を取り付ける回路基板２５と発光素子１２を取り付ける回路基板２６と保持体１５との間で電気的な導通状態が生じないように、回路基板２５及び回路基板２６と保持体１５との間に絶縁材を介在させておくことが必要である。保持体１５を絶縁性の材料で形成したときには、回路基板２５及び回路基板２６と保持体１５との間に絶縁材を介在させておくことは必ずしも必要なことではない。
【００６０】
図３に示すように、発光素子１２の光源位置１２ａは筒状体２の中空断面における略中心位置近傍に来るように配設している。また、筒状体２の外周面においては、一部筒状体２の長手方向に沿った領域を透明領域２２ａ、２２ｂとした残りの領域に乳反シート２０を貼着して半透明領域２３を形成している。
【００６１】
図示例では、ソーラーモジュール１１に対向する筒状体２の上部側の透明領域２２ａと発光素子１２による照射方向における筒状体２の下方側の所望角度の透明領域２２ｂとには、乳反シート２０が貼着されていない透明領域を形成している。
【００６２】
半透明領域２３からは筒状体２の内部を見ることができず、また透明領域２２ｂの幅が狭ければ同様に透明領域２２ｂから筒状体２の内部を見ることが難しくなる。このため、ソーラーライト１における発光ユニット１０がソーラーモジュール１１を除いて外部に露呈することがなくなり、ソーラーライト１として外観上からも好ましい形態とすることができる。
【００６３】
発光素子１２の発光により照射された光は、筒状体２の下方側に形成した透明領域２２ｂから直接外部に照射することができるとともに、乳反シート２０が貼着された半透明領域２３に照射される。半透明領域２３に照射された光は乳反シート２０を明るくするとともに、乳反シート２０と筒状体２との境界面で反射し、筒状体２の周面に沿って光が反射を繰り返すことで乳反シートを全体的に発光させることができる。
【００６４】
これにより、筒状体２としては乳反シート部が全体的に発光し、透明領域２２ｂから直接漏れ出た光を外部に照射することができる。発光素子１２からの光を直接外部に照射するため、筒状体２の下方側に透明領域２２ｂを形成しているが、同透明領域２２ｂは特に形成しなければならないというものではなく、また形成する場合においても下方に形成することに限定されるものではない。透明領域２２ｂを形成する場合には、筒状体２の所望の部位に形成しておくことができるものである。
【００６５】
筒状体２の上部側に形成した透明領域２２ａは、同透明領域２２ａを通過する太陽光等の光量が減衰するのを少なくして、ソーラーモジュール１１ｂの発電量を確保するために形成した透明領域である。このため、筒状体２の上部側に透明領域２２ａを形成せずに特殊な半透明領域とした場合であっても、ソーラーモジュール１１ｂの発電量が十分に確保することができるときには、筒状体２の上部側の透明領域２２ａを特殊な半透明領域とすることができる。ただし、この場合においても、同特殊な半透明領域とした筒状体２の上部側の領域は、本願発明で言うところの透明領域という概念に包含されるものである。
【００６６】
図１に示すように、密閉部材３は、筒状体２の外周面を囲繞するフランジ部を周囲に形成した凹状の窪み部を備えた形状に構成されている。なお、密閉部材３の形状としては、凹状の窪み部を有しない面状に形成しておくこともできる。密閉部材３には保持体１５の端部に形成したタップネジ孔１９（図３参照。）と螺合するタップネジ１８（図４参照。）を挿入するネジ孔２８が形成されている。
【００６７】
タップネジ１８及びネジ孔２８は、図５に示すプレート１７によりカバーされている。プレート１７はアルミ製のプレート、合成樹脂製のプレートで形成され、裏面側に接着剤、両面テープ等が付着されている。プレート１７をタップネジ１８及びネジ孔２８の上方から貼り付けることにより、ネジ孔２８から雨水や埃等が筒状体２の内部に侵入するのを防止することができる。また、プレート１７にソーラーライトの製造者名等を記載しておくこともできる。
【００６８】
図１に示すように一対の密閉部材３は、図示せぬ支持部材に取り付けるためのネジ孔２７が形成されている。密閉部材３を支持部材５に取り付けた一例を、図６、図７に示している。支持部材に取り付ける取り付け形態は、ネジによる取り付けに限定されるものではなく、一般的に用いられている固着手段を使用することができる。また、密閉部材３に紐等を係止する係止手段を形成し、同係止手段により係止された紐等をフック等に引っ掛けることも、肩に掛けてソーラーライトを携帯自在に構成することもできる。
【００６９】
図６、図７ではソーラーライト１を表札付きの門灯として使用した例を示している。図６に示すように、支持部材５を介してソーラーライト１を塀７の上部に取り付けることもできる。上述したように、ソーラーライト１の左右一対の密閉部材３は、ネジ９を介してそれぞれ一対の支持部材５に固定されている。一対の支持部材５は、アンカーボルト８を介して塀７に固定されており、一対の支持部材５間には、ネジ９を介して表札６が所定の角度傾斜した状態で取り付けられている。
【００７０】
図７に示すように、筒状体２の外周面に貼着した乳反シート２０を発光素子１２により全体的に発光させるとともに、筒状体２の下方側に形成した透明領域２２ｂを通過した光を、表札６の表面に対して照射させることができる。
【００７１】
ソーラーライト１の設置場所として、塀７の上部に門灯として設置した例を図６、図７を用いて説明したが、ソーラーライトを設置することのできる場所としては、塀以外にも外壁、ドア枠、ドアの上部、ベランダ、テラス、外階段等において照明が必要な場所に設置することができる。また、ソーラーライトを側道や植え込み、庭等におけるフットライトとして配設することもできる。更には、工事現場、進入禁止の場所、交通規制等の場所、キャンプ場等において運搬自在の構成として設置することもできる。そのほかソーラーライトとしては、固定式、可搬式、あるいは携帯式のソーラーライトとして構成することができる。
【産業上の利用可能性】
【００７２】
本願発明は、ソーラーライトとして使用することのできる各種の用途に本願発明の技術思想を適用することができる。
【図面の簡単な説明】
【００７３】
【図１】本発明の実施形態に係わるソーラーライトの縦断面図である。（実施例）
【図２】図１におけるＩＩ−ＩＩ断面図である。（実施例）
【図３】図１におけるＩＩＩ−ＩＩＩ断面図である。（実施例）
【図４】図１の左から見た側面図である。（実施例）
【図５】密閉部材のネジ孔をシールするプレートの正面図である。（実施例）
【図６】ソーラーライトを表札付き門灯として配設した例を示す正面図である。（実施例）
【図７】図６におけるＶＩＩ−ＶＩＩ断面図である。（実施例）
【図８】車止めの正面図である。（従来例）
【符号の説明】
【００７４】
１            ソーラーライト
２            筒状体
３            密閉部材
４            シール部材
５            支持部材
６            表札
１０            発光ユニット
１１            ソーラーモジュール
１２            発光素子
１３            充電装置
１４            制御装置
１５            保持体
１６            絶縁材
２０            乳反シート
２２ａ、２２ｂ  透明領域
２３            半透明領域
２６            回路基板
４１            脚部
４２            渡り部
４３            車止め本体
４４            連結部材
４６            凹部
４７            ソーラーモジュール
４８            透明板
４９            装着部
５０            取付け孔
５２            発光部
【図１】
2006059603.tif 000003
【図２】
2006059603.tif 000004
【図３】
2006059603.tif 000005
【図４】
2006059603.tif 000006
【図５】
2006059603.tif 000007
【図６】
2006059603.tif 000008
【図７】
2006059603.tif 000009
【図８】
2006059603.tif 000010